(57)【要約】【課題】現在は、一昔前と違い雨が降っても傘に長靴という光景はあまり見うけられない。道路が舗装され排水設備も整えられ少しの雨では水溜りもあまりできない。そして靴自体にも撥水機能を持ったものも多くでまわっています。少しぐらいの雨が降っても対応できるようになりました。そういったこともあって長靴をもっている人も少ないと思われます。しかし靴の撥水機能も半永久でもなく、また靴の構造からいっても雨天での靴の雨水浸透対策はまだ不十分だし激しい雨では対応できないと思われます。また当然ではありますが普通の靴は、冷房による足冷え対策等を見込んでその形態をなしているものはほとんどないと思われます。【手段】本発明を一言で述べると、雨の日に靴に合羽をかぶせる（靴合羽）のです。雨降りが激しい時には、これと下腿あてというものを連結し普通の靴に長靴に近い機能を持たせました。また足元が冷える時期や場所のために内面に防寒素材を貼付した下腿あても用意しました。ふだん靴合羽、下腿あてはうすくて柔らかな防水の素材でできているためコンパクトにたたんで、ハンドバックの角に入れておくだけで急な雨にも対応できますし、足が冷えると思われる時にも靴合羽とこの下腿あてで対応できます。【選択図】図５
2007050205.tif 000002
【特許請求の範囲】
【請求項１】
歩行の最中に靴合羽（靴の底部と足首を出し入れする部分を除いた部分を覆うカバー）が靴から外れないように双方を綿ファスナー（マジクテープ）またはホックなどによって接合できるように接合部を設ける。
接合部は、靴の中央下部２箇所と小指側下部の計３箇所に設ける。
【請求項２】
靴合羽に下腿あてとの連結のために双方に綿ファスナー（マジクテープ）またはホックによる連結部を設ける。また靴の多少のサイズの違いにも対応できるように靴合羽のかかとにあたる部分に綿ファスナー（マジクテープ）でサイズ調節エリアを設ける。
【請求項３】
下腿あては、下腿に巻いて使用する物である。下部には靴合羽と連結させるための連結部があり、上部には下腿あてのずり下がり防止の為の垂下がり防止具のためのクリップを付けた。
【請求項４】
靴合羽と下腿あては連結することで長靴の機能を持つことができる。両方の素材はうすいビニールかナイロンである。
【発明の詳細な説明】
【技術分野】
【０００１】  本発明は、雨天時における普通の靴にビニール、ナイロンなどの素材で作った靴合羽と言うものを被せることによって靴に撥水を持たせることで靴の中への雨水の浸透を防ぐと共に激しい雨には、これに下腿あてと言うものを連結することで普通の靴にも長靴の機能を持たせるものである。
【背景技術】
【０００２】  現在の道路状況は、一昔と違い舗装や排水設備が完備されよほどの豪雨でもない限り水溜りはありません。街を行きかう人は傘をさしていても長靴をはいている人は少なくなっている。昔と比べても降る雨の量が減っているわけでもない。その代わりに靴に撥水機能を持たせたのが数多く売られているのである。しかしながらこの靴も長期間の使用でその効果も薄れたり、靴の構造上から靴紐の隙間や縫い目から雨水が浸透してくることもある。
【発明の開示】
【発明が解決しようとする課題】
【０００３】  現在靴に施されている撥水機能は半永久的なものではなく、またその構造上からどうしようもないといったものもあります。ところで激しい雨に対しては、長靴がよいのですが一般的には長靴を履く風潮が少なくなっており持っていない人も数多くいます。
【課題を解決する手段】
【０００４】  そこで少雨の時には、撥水効果がない靴に対しては靴の底をのぞいてビニール、ナイロンなどのカバーで覆う（靴合羽）で対応し、雨の降りが激しい時には下腿あてと連結することで靴合羽に長靴の機能を持たせるというものです。
【発明の効果】
【０００５】  この靴合羽と下腿あての素材は、うすくて軽いビニール、ナイロンでできているためコンパクトに折りたたんでハンドバッグの隅に置けてとっさの雨にも取り出して対応できます。
【発明を実施するための最良の形態】
【０００６】  以下本発明の実施形態を説明する。
（イ）これは靴底部と足を出し入れする部分を除いて普通の靴をビニール、ナイロンなどで覆う靴合羽（１）という部分と激しい雨の時、これと連結して足首から上部をも雨に濡れない様にするための下腿あて（４）よりなる。なお歩行中に靴合羽と靴がはずれないように靴と靴合羽（１）を接合しておくための接合部（２）を双方に綿ファスナー（マジクテープ）やホックで設ける。接合部（２）は、靴の側面中央下部二箇所と小指側下部の計３箇所にもうける。また靴合羽（１）と下腿あて（４）との連結できるように綿ファスナー（マジクテープ）やホックなどを使ってとりはずしができるように双方に連結部（３）を設ける。
（ロ）靴合羽（１）のかかとには、靴のサイズの多少の違いがあってもこれを利用できるようにサイズ調節エリア（５）を綿ファスナー（マジクテープ）でつくる。
（ハ）下腿あて（４）はうすく柔かな素材でできているために着用中に下がってくることにそなえ下腿あて上部に垂下がり防止具（６）をクリップで付けた。これで下腿あてとズボンなどを挟んで使用する。
【図面の簡単な説明】
【０００７】
【図１】靴合羽と下腿あての連結透視図
【図２】靴合羽表面図
【図３】下腿あて展開図
【図４】靴と接合部図
【図５】靴合羽裏面透視図
【図６】靴合羽表面図
【符号の説明】
【０００８】（１）靴合羽、（２）接合部、（３）連結部、（４）下腿あて、（５）サイズ調節エリア、（６）垂下がり防止具
【図１】
2007050205.tif 000003
【図２】
2007050205.tif 000004
【図３】
2007050205.tif 000005
【図４】
2007050205.tif 000006
【図５】
2007050205.tif 000007
【図６】
2007050205.tif 000008
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
歩行の最中に靴合羽（靴の底部と足首を出し入れする部分を除いた部分を覆うカバー）が靴から外れないように、靴合羽内面の足のつま先に沿うようにずれ防止ひもを施し靴合羽のかかと部分に足のサイズに合わせて靴合羽の大きさを調整できるように面ファスナーでサイズ調整エリアを設ける。
【請求項２】
下腿あて（下腿にまいて使用）は下腿まきホックによってとめる。また雨の浸透を防ぐためにホックに沿って下腿あての端に浸水防止ツメを設ける。
【請求項３】
上記の靴合羽に下腿あてを連結させることで長靴に近い機能を持たせることができる。
【請求項４】
靴合羽、下腿あてはポリアミド系繊維（ナイロン）、ビニール繊維などの防水・撥水素材でできています。また足冷え防止のために下腿あて内面に防寒素材を貼付させたものもあります。
【手続補正２】
【補正対象書類名】明細書
【補正対象項目名】全文
【補正方法】変更
【補正の内容】
【発明の詳細な説明】
【技術分野】
【０００１】  本発明は、雨天時において普通の靴にポリアミド系繊維（ナイロン）、ビニールなどの素材で作った靴合羽と言うものを被せることによって靴に防水・撥水性を持たせることで靴の中への雨水の浸透を防ぐと共に激しい雨には、これに下腿あてと言うものを連結することで普通の靴にも長靴の機能を持たせるものである。また別の用途として靴合羽と内面に防寒素材を貼付した下腿あてを連結することで足冷えを防ぐことができる。
【背景技術】
【０００２】  現在の道路状況は、一昔と違い舗装や排水設備が完備されよほどの豪雨でもない限り水溜りはありません。街を行きかう人は傘をさしていても長靴をはいている人は少なくなっている。昔と比べても降る雨の量が減っているわけでもない。その代わりに靴に撥水機能を持たせたのが数多く売られているのである。しかしながらこの靴も長期間の使用でその効果も薄れたり、靴の構造上から靴紐の隙間や縫い目から雨水が浸透してくることもある。
【発明の開示】
【発明が解決しようとする課題】
【０００３】  現在靴に施されている撥水機能は半永久的なものではなく、またその構造上からどうしようもないといったものもあります。ところで激しい雨に対しては、長靴がよいのですが一般的には長靴を履く風潮が少なくなっており持っていない人も数多くいます。また長靴は防寒機能も十分なのですが屋内での長靴の使用には違和感があり、防寒のためにはあまり使用されていません。夏場における長時間にわたるデスクワークの室温管理には難しいものがあると思われます。頭寒足熱は理想ではありますが冷房のきいた部屋では膝あてだけでは不十分だということがあります。
【課題を解決するための手段】
【０００４】  そこで少雨の時には、撥水効果がない靴に対しては靴の底をのぞいてポリアミド系繊維（ナイロン）、ビニール繊維などの防水・撥水素材でできているカバーで覆う（靴合羽）で対応し、雨の降りが激しい時には下腿あてと連結することで靴合羽に長靴の機能を持たせるというものです。また足冷え対策としては、どうしても冷気は部屋の下のほうから溜まりますから足・足首を冷気からガードすることが重要であります。そのため内面に防寒素材を貼付した下腿あてを着用することで足の保温性が高まります。
【発明の効果】
【０００５】  バイクでの通勤、自転車における通学は天候悪化に備えて雨具を用意しておかねばなりません。しかしながら合羽はあまりかさばらないが長靴まではということになるとためらう事になります。さらに近いところまでなら自転車で傘をさしていけばよいではないかという危険な状況も見うけられます。こんな時うすくて軽いポリアミド系繊維のシート（ナイロン）、ビニールシートでできている靴合羽と下腿あてをコンパクトに折りたたんでハンドバッグの隅において置けばとっさの雨にも取り出して対応できます。さらには足元が寒い時には足冷え防止にも使えます。
【発明を実施するための最良の形態】
【０００６】  以下本発明の実施形態を説明する。
（イ）これは靴底部と足を出し入れする部分を除いて普通の靴をポリアミド系繊維のシート（ナイロン）、ビニールシートなどで覆う靴合羽（１）という部分と激しい雨の時、これと連結して足首から上部をも雨に濡れない様にするための下腿あて（４）よりなる。長靴としての機能は、上記の靴合羽と下腿あての連結によってなる。
（ロ）なお歩行中に靴合羽（１）と靴がはずれないように靴合羽内面に、足のつま先に沿うようにずれ防止ひも（２）を施し靴合羽（１）かかと部分で、サイズ調節エリア（３）を設けた。これは靴のサイズの多少の違いがあってもこれで止められるように面ファスナーを使用した。
（ハ）下腿あて（４）は、下腿にまいて使用するもので、下腿まきホック（６）で止める。またこのホックに沿って雨水が浸透してこないために浸水防止ツメ（５）を施す。下腿あて（４）には防寒のために防寒素材（７）を貼付したものもある。
【図面の簡単な説明】
【０００７】
【図１】靴合羽内面透視図
【図２】靴合羽表面図
【図３】下腿あて側面図
【図４】下腿あて展開図
【図５】下腿あてを装着した靴合羽の透視図
【符号の説明】
【０００８】（１）靴合羽  （２）ずれ防止ひも  （３）サイズ調節エリア  （４）下腿あて  （５）浸水防止ツメ  （６）下腿まきホック  （７）防寒素材
【手続補正３】
【補正対象書類名】図面
【補正対象項目名】全図
【補正方法】変更
【補正の内容】
【図１】
2007050205.tif 000009
【図２】
2007050205.tif 000010
【図３】
2007050205.tif 000011
【図４】
2007050205.tif 000012
【図５】
2007050205.tif 000013
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
靴合羽（靴の底部と足首を出し入れするところを除いた部分を覆うカバー）裏面の足のつま先に沿うようにずれ防止ひもを施すと同時に、面ファスナーの外れ防止テープを靴合羽側面の裏面二箇所にもうけて、それに対応する靴の部位に貼付するものとする。また靴合羽のかかと部分に足のサイズに合わせて靴合羽の大きさを調整できるように面ファスナーでサイズ調整エリアを設ける。
【請求項２】
下腿あて（下腿にまいて使用）は下腿まきホックによってとめる。またホックに沿って下腿あての端に浸水防止ツメを設ける。
【請求項３】
上記の靴合羽に下腿あてをホックまたは面ファスナー製の合羽・下腿あて止めで連結させることで長靴に近い機能を持たせることができる。
【請求項４】
靴合羽、下腿あてはポリアミド系繊維（ナイロン）、ビニール繊維などの防水・撥水素材でできています。また足冷え防止のために下腿あて内面に防寒素材を貼付させたものもあります。
【手続補正２】
【補正対象書類名】明細書
【補正対象項目名】０００６
【補正方法】変更
【補正の内容】
【０００６】以下本発明の実施形態を説明する。
（イ）これは靴底部と足を出し入れする部分を除いて普通の靴をポリアミド系繊維のシート（ナイロン）、ビニールシートなどで覆う靴合羽（１）という部分と激しい雨の時、これと連結して足首から上部も雨に濡れないようにするための下腿あて（５）よりなる。長靴としての機能は、上記の靴合羽（１）と下腿あて（５）を合羽・下腿あて止め（８）で連結させることによってなる。
（ロ）なお歩行中に靴合羽（１）靴が外れないように靴合羽（１）裏面に、足のつま先に沿うようにずれ防止ひも（２）を施すと同時に、面ファスナーの外れ防止テープ（３）を靴合羽（１）側面の裏面二箇所に設けて、それに対応する靴の部位にも貼付するものとする。そのうえで靴合羽（１）かかと部分で、サイズ調節エリア（４）を設けた。これは靴のサイズの多少の違いがあってもこれで止められるように面ファスナーを使用した。
（ハ）下腿あて（５）は、下腿にまいて使用するもので、下腿まきホック（７）で止める。またこのホックに沿って雨水が浸透してこないために浸水防止ツメ（６）を施す。下腿あて（５）には防寒のために防寒素材（９）を貼付したものもある。
【手続補正３】
【補正対象書類名】明細書
【補正対象項目名】０００７
【補正方法】変更
【補正の内容】
【０００７】
【図１】靴合羽裏面透視図
【図２】靴合羽表面図
【図３】下腿あて側面図
【図４】下腿あて展開図
【図５】下腿あてを装着した靴合羽の透視図
【手続補正４】
【補正対象書類名】明細書
【補正対象項目名】０００８
【補正方法】変更
【補正の内容】
【０００８】  （１）靴合羽（２）ずれ防止ひも（３）はずれ防止テープ（４）サイズ調節エリア（５）下腿あて（６）浸水防止ツメ（７）下腿まきホック（８）合羽・下腿あて止め（９）防寒素材
【手続補正５】
【補正対象書類名】図面
【補正対象項目名】全図
【補正方法】変更
【補正の内容】
【図１】
2007050205.tif 000014
【図２】
2007050205.tif 000015
【図３】
2007050205.tif 000016
【図４】
2007050205.tif 000017
【図５】
2007050205.tif 000018
【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
靴合羽（靴の底部と足首を出し入れするところを除いた部分を覆うカバー）裏面の足のつま先に沿うようにずれ防止ひもを施すと同時に、面ファスナーの外れ防止テープを靴合羽側面の裏面二箇所にもうけて、それに対応する靴の部位にも貼付するものとする。ただし面ファスナーかわりに靴自体にホックを装着してある場合には靴合羽の対応する部位にホックを設けるものとする。そして靴合羽のかかと部分に足のサイズに合わせて靴合羽の大きさを調整できるように面ファスナーでサイズ調整エリアを設ける。
【請求項２】
下腿あて（下腿にまいて使用）は下腿まきホックによってとめる。またホックに沿って下腿あての端に浸水防止ツメを設ける。
【請求項３】
上記の靴合羽に下腿あてをホックまたは面ファスナー製の合羽・下腿あて止めで連結させることで長靴に近い機能を持たせることができる。
【請求項４】
靴合羽、下腿あてはポリアミド系繊維（ナイロン）、ビニール繊維などの防水・撥水素材でできています。また足冷え防止のために下腿あて内面に防寒素材を貼付させたものもあります。
【手続補正２】
【補正対象書類名】明細書
【補正対象項目名】全文
【補正方法】変更
【補正の内容】
【発明の詳細な説明】
【技術分野】
【０００１】  本発明は、雨天時において普通の靴にポリアミド系繊維（ナイロン）、ビニールなどの素材で作った靴合羽と言うものを被せることによって靴に防水・撥水性を持たせることで靴の中への雨水の浸透を防ぐと共に激しい雨には、これに下腿あてと言うものを連結することで普通の靴にも長靴の機能を持たせるものである。また別の用途として靴合羽と内面に防寒素材を貼付した下腿あてを連結することで足冷えを防ぐことができる。
【背景技術】
【０００２】  現在の道路状況は、一昔と違い舗装や排水設備が完備されよほどの豪雨でもない限り水溜りはありません。街を行きかう人は傘をさしていても長靴をはいている人は少なくなっている。昔と比べても降る雨の量が減っているわけでもない。その代わりに靴に撥水機能を持たせたのが数多く売られているのである。しかしながらこの靴も長期間の使用でその効果も薄れたり、靴の構造上から靴紐の隙間や縫い目から雨水が浸透してくることもある。
【発明の開示】
【発明が解決しようとする課題】
【０００３】  上記のように現在靴に施されている撥水機能は半永久的なものではなく、またその構造上からどうしようもないといったものもあります。ところで激しい雨に対しては、長靴がよいのですが一般的には長靴を履く風潮が少なくなっており持っていない人も数多くいます。また長靴は防寒機能もありますが屋内での長靴の使用には違和感があり、防寒のためにはあまり使用されていません。夏場における長時間にわたるデスクワークの室温管理には難しいものがあると思われます。頭寒足熱は理想ではありますが冷房のきいた部屋では膝あてだけでは不十分だということがあります。
【課題を解決するための手段】
【０００４】  そこで少雨の時には、撥水効果がない靴に対しては靴の底をのぞいてポリアミド系繊維（ナイロン）、ビニール繊維などの防水・撥水素材でできているカバーで覆う（靴合羽）で対応し、雨の降りが激しい時には下腿あてと連結することで靴合羽に長靴に近い機能を持たせるというものです。また足冷え対策としては、どうしても冷気は部屋の下のほうから溜まりますから足・足首を冷気からガードすることが重要であります。そのため内面に防寒素材を貼付した下腿あてを着用することで足の保温性が高まります。
【発明の効果】
【０００５】  バイクでの通勤、自転車における通学は天候悪化に備えて雨具を用意しておかねばなりません。しかしながら合羽はあまりかさばらないが長靴まではということになるとかさばるために、ためらう事になります。さらに近いところまでなら自転車で傘をさしていけばよいではないかという危険な状況も見うけられます。こんな時うすくて軽いポリアミド系繊維のシート（ナイロン）、ビニールシートでできている靴合羽と下腿あてをコンパクトに折りたたんでハンドバッグの隅において置けばとっさの雨にも取り出して対応できます。さらには足元が寒い時には足冷え防止にも使えます。
【発明を実施するための最良の形態】
【０００６】  以下本発明の実施形態を説明する。
（イ）これは靴底部と足を出し入れする部分を除いて普通の靴をポリアミド系繊維のシー      ト（ナイロン）、ビニールシートなどで覆う靴合羽（１）という部分と激しい雨の      時、これと連結して足首から上部をも雨に濡れない様にするための下腿あて（５）      よりなる。長靴としての機能は、上記の靴合羽（１）と下腿あて（５）を合羽・下      腿あて止め（８）で連結させることによってなる。
（ロ）なお歩行中に靴合羽（１）と靴がはずれないように靴合羽（１）裏面に、足のつま      先に沿うようにずれ防止ひも（２）を施すと同時に、面ファスナーの外れ防止テー      プ（３）を靴合羽（１）側面の裏面２箇所にもうけて、それに対応する靴の部位に      も貼付するものとする。ただし面ファスナーのかわりに靴自体にホックを装着して      ある場合は靴合羽の対応する部位にホックを設けるものとする。そのうえで靴合羽      （１）かかと部分で、サイズ調節エリア（４）を設けた。これは靴のサイズの多少      の違いがあってもこれで止められるように面ファスナーを使用した。
（ハ）下腿あて（５）は、下腿にまいて使用するもので、下腿まきホック（７）で止める      。またこのホックに沿って雨水が浸透してこないために浸水防止ツメ（６）を施す      。下腿あて（５）には防寒のために防寒素材（９）を貼付したものもある。
【図面の簡単な説明】
【０００７】
【図１】靴合羽裏面透視図
【図２】靴合羽表面図
【図３】下腿あて側面図
【図４】下腿あて展開図
【図５】下腿あてを装着した靴合羽の透視図
【符号の説明】
【０００８】（１）靴合羽（２）ずれ防止ひも（３）外れ防止テープ  （４）サイズ調節エリア（５）下腿あて（６）浸水防止ツメ（７）下腿まきホック（８）合羽・下腿あて止め（９）防寒素材